(57)【要約】      （修正有）【課題】中間層の剥ぎ取り箇所が分かりやすく、かつ製造の容易な構造のケーブルの被覆剥ぎ取り工具を提供する。【解決手段】ケーブルの被覆の、剥ぎ取る中間層の外周長より長い帯状のコイルバネから成るバネ板１をコイル状に巻いて形成し、バネ板の長手方向に平行する両側縁の一方を一側縁５とし、かつ、バネ板の一端から一定の長さに離れた位置までの一側縁を側縁からバネ板の内側に一定幅切り欠いた切り欠き部６を設け、切り欠き部の内端部と切り欠き部脇の一側縁との間に切断段部７を設けた。切断段部に続く一側縁の一部をより尖った刃部、又は、のこぎり歯とするのが好ましい。【選択図】図１
0003225901.tif 000002
【実用新案登録請求の範囲】
【請求項１】
ケーブル被覆の剥ぎ取る中間層の外周長より長い帯状のコイルバネから成るバネ板をコイル状に巻いて形成して成り、前記バネ板の長手方向に平行する両側縁の一方の一側縁を、当該バネ板の一端から一定の長さの離れた位置まで内側に一定幅切り欠いた切り欠き部を設け、当該切り欠き部の内端部と前記一側縁との間に切断段部を設けたことを特徴とする、ケーブルの被覆剥ぎ取り工具。
【請求項２】
前記切断段部に続く前記一側縁の一部の断面をより尖った刃部としたことを特徴とする、請求項１に記載のケーブルの被覆剥ぎ取り工具。
【請求項３】
前記切断段部に続く前記一側縁の一部をのこぎり歯形状部にしたことを特徴とする、請求項１又は２に記載のケーブルの被覆剥ぎ取り工具。
【考案の詳細な説明】
【技術分野】
【０００１】
この考案は、高圧ケーブル等の被覆剥ぎ取り工具に関するもので、ケーブルの銅テープ層や外部半導電層等の薄膜から成る中間層の剥ぎ取りが容易かつ確実に行える剥ぎ取り工具に関するものである。
【背景技術】
【０００２】
このケーブルＣは、図１４に示すように、導体ａの外周に、内部半導電層ｂ、絶縁体ｃ、外部半導電層ｄ、遮蔽軟銅テープ層ｅが巻き付けられ、これらの外周にビニルシースｆ等が設けられている。このケーブルＣの被覆剥ぎ取りに関しては、作業者の熟練を要せず、中の層を傷つけることなく、容易に遮蔽軟銅テープ層ｅ（以下、単に「銅テープ層ｅ」という）や外部半導電層ｄ等の中間層の剥ぎ取りができるケーブル被覆剥ぎ取り工具Ｂが開発されている。
【０００３】
特許文献１のものは、この様なケーブルの被覆剥ぎ取り工具Ｂであり、図１５及び図１６に示すように、ケーブル被覆の剥ぎ取る中間層の外周長より長い帯状のコイルバネから成るバネ板１を設け、当該バネ板１の長手方向に平行する両側縁の一方の一側線を刃状に尖らせて刃部２とし、かつ、当該バネ板１の一端から離れた位置の前記刃部２に、当該刃部２の側縁からバネ板の内側に向けて一定幅の切り欠き３を設けたものである。
【０００４】
このケーブル被覆剥ぎ取り工具Ｂ（以下、単に「工具Ｂ」という）は、ケーブルＣの、当該工具Ｂの内径より大きい外形を有する中間層の外周に巻き付け、剥がそうとする中間層の外周に当該工具Ｂの前記切り欠き３が直に接するようにして当該工具Ｂのバネ板１を中間層の外周に圧接し、前記中間層を剥がしていき、前記工具Ｂの付近まで剥がした前記中間層の一側を前記工具Ｂの切り欠き３に入れて、工具Ｂ側に引っ張ることにより前記中間層の一側に切り込みを作り、さらに前記中間層を当該工具Ｂ側に引っ張りながら、工具Ｂの外周に沿って前記中間層を回して、工具Ｂの刃部２により当該中間層を引き剥がしていくものである。
【０００５】
これにより、当該中間層より中の層を傷つけずに当該中間層の切断端がケーブルＣの長手方向に対して直角に形成される。この様にケーブルＣの被覆の中間層を、熟練を要せず、正確かつ確実に剥ぎ取ることができるものである。
【先行技術文献】
【特許文献】
【０００６】
【特許文献１】特許第６０１２４３０号公報
【考案の開示】
【考案が解決しようとする課題】
【０００７】
この図１５及び図１６に示す前記特許文献１のケーブル剥ぎ取り工具Ｂは、帯状のコイル状のバネ板１に切り欠き３を入れた形状であるため、この形状では剥ぎ取る中間層の剥ぎ取り箇所が合わせにくい欠点を有する。
【０００８】
この考案は、上記の点に着目し、中間層の剥ぎ取り箇所が分かりやすく、かつ、製造の容易な構造のケーブル被覆剥ぎ取り工具を提供することを目的としたものである。
【課題を解決するための手段】
【０００９】
請求項１の考案は、ケーブル被覆の剥ぎ取る中間層の外周長より長い帯状のコイルバネから成るバネ板をコイル状に巻いて形成して成り、前記バネ板の長手方向に平行する両側縁の一方の一側縁を、当該バネ板の一端から一定の長さの離れた位置まで内側に一定幅切り欠いた切り欠き部を設け、当該切り欠き部の内端部と前記一側縁との間に切断段部を設けた、ケーブルの被覆剥ぎ取り工具とした。
【００１０】
請求項２の考案は、前記切断段部に続く前記一側縁の一部の断面をより尖った刃部とした、請求項１に記載のケーブルの被覆剥ぎ取り工具とした。
【００１１】
また、請求項３の考案は、前記切断段部に続く前記一側縁の一部をのこぎり歯形状部にした、請求項１に記載のケーブルの被覆剥ぎ取り工具とした。
【考案の効果】
【００１２】
請求項１の考案によれば、ケーブル被覆剥ぎ取り工具のバネ板の長手方向に平行する両側縁の一方の一側縁を、当該バネ板の一端から一定の長さの離れた位置まで内側に一定幅切り欠いた切り欠き部を設け、当該切り欠き部の内端部と前記一側縁との間に切断段部を設けたため、工具付近まで剥がした銅テープ層等の中間層の一側を前記切断段部に引っかけて工具側に引っ張れば、容易に中間層に切り込みが入る。また、この切断段部を起点にして、前記中間層を工具側に引っ張り、かつ、前記切断段部に続く前記一側縁を切断箇所にずらし、当該一側縁に中間層を当てながら工具の外周に沿って前記中間層を回しながら剥がすことにより、前記中間層を剥ぎ取ることが出来る。
【００１３】
この様に、中間層に切り込みを入れる箇所を切り欠き部の終端の切断段部としているため、従来の切り欠き形状と比べ、切り込み箇所が分かりやすくなり、作業効率が向上した。また、この工具はコイルバネからなるため、コイル状に巻いた状態でケーブルに装着した場合は、バネ板の外周部分をケーブルの長手方向にずらせば、すぐに切り欠き部及び切断段部を露出又は突出させることができる。
【００１４】
従って、従来工法のように、カッターやナイフを用いる必要がない。当該工具の前記切り欠き部、切断段部及び一側縁により前記中間層の端部をきれいに剥ぎ取ることが出来る。しかも、前記工具の切断段部及び一側縁は、前記中間層の外周に固定されるため、どのような作業者でも中間層の内側の層を傷つけることがなく、剥ぎ取り作業ができる。
【００１５】
また、この工具はバネ板をコイル状に巻いて構成されているため、当該工具で被覆を剥がすケーブルの外周に装着する際、バネ板を外側の一端部からその弾性に抗して剥がしながら、ケーブルの外周側面にこれを掛けて巻くことにより装着することが出来るとともに、ケーブルの端部からコイル状に巻いたままその中心孔を挿入し、所定の位置まで、ケーブルの長手方向に沿って工具をずらして装着することもできる。従って、当該工具のケーブルへの装着は極めて容易である。
【００１６】
また、この工具の切断段部は、帯状の板バネの一端から他端に向かって一側縁を一定長切り欠いた終端に設けたため、製造が極めて容易である。
【００１７】
また、請求項２の考案によれば、切断段部に続く一側縁の一部がより鋭い刃部となっているため、より厚い中間層が設けられた高圧ケーブルの被覆剥ぎ取りにも使用できる。
【００１８】
また、請求項３の考案によれば、切断段部に続く一側縁の一部がノコギリ歯形状部となっているため、中間層が厚いゴム状のものであっても容易に、かつ、きれいに引き剥がすことができる。
【図面の簡単な説明】
【００１９】
【図１】この考案の実施の形態例１のケーブル被覆剥ぎ取り工具の切り欠き部を外側にして巻いた状態を示すもので、（ａ）図は斜視図、（ｂ）図は外側端部を引き出した状態を示す斜視図である。
【図２】この考案の実施の形態例１のケーブル被覆剥ぎ取り工具の切り欠き部を内側にして巻いた状態を示すもので、（ａ）図は斜視図、（ｂ）図は内側端部を横にずらした状態を示す斜視図である。
【図３】この考案の実施の形態例１のケーブル被覆剥ぎ取り工具に使用するバネ板の正面図である。
【図４】この考案の実施の形態例１のケーブル被覆剥ぎ取り工具に使用する他の態様のバネ板の正面図である。
【図５】この考案の実施の形態例１のケーブル被覆剥ぎ取り工具に使用するさらに他の態様のバネ板の正面図である。
【図６】この考案の実施の形態例１のケーブル被覆剥ぎ取り工具をケーブルの中間層の外周に装着した状態を示す正面図である。
【図７】この考案の実施の形態例１のケーブル被覆剥ぎ取り工具をケーブルの中間層の外周に装着した状態を示す拡大側面図である。
【図８】この考案の実施の形態例１のケーブル被覆剥ぎ取り工具の使用状態１の正面図である。
【図９】この考案の実施の形態例１のケーブル被覆剥ぎ取り工具の使用状態２の正面図である。
【図１０】この考案の実施の形態例１のケーブル被覆剥ぎ取り工具の使用状態３の正面図である。
【図１１】この考案の実施の形態例１のケーブル被覆剥ぎ取り工具の使用状態４の正面図である。
【図１２】この考案の実施の形態例１のケーブル被覆剥ぎ取り工具を使用して中間層をはぎ取った状態のケーブルの正面図である。
【図１３】この考案の実施の形態例１のケーブル被覆剥ぎ取り工具をケーブルの中間層に装着した他の状態を示す正面図である。
【図１４】この考案を使用するケーブルの多数の中間層を段階的に剥ぎ取った状態のケーブルの斜視図である。
【図１５】従来のケーブル剥ぎ取り工具の斜視図である。
【図１６】従来のケーブル被覆剥ぎ取り工具に使用するバネ板の正面図である。
【考案を実施するための形態】
【００２０】
（実施の形態例１）
この考案の実施の形態例１のケーブル被覆剥ぎ取り工具Ａ（以下、単に「工具Ａ」という。）を図１〜図１３に基づいて説明する。
【００２１】
このケーブル被覆剥ぎ取り工具Ａは、図１（ａ）に示すように、バネ板１をコイル状に巻いたものである。そしてケーブルＣの一端の剥ぎ取ろうとする中間層の外径よりやや小さな内径となるようにバネにより圧縮されている。また、図１（ｂ）に示すように、コイル状に巻かれた外側の一端部を引き剥がすと、一端部から内側に丸まる弾性を有する。これらの図１に示すものは、後述の切り欠き部６及び切断段部７を外側にしてコイル状に巻いたものである。
【００２２】
また、この逆に、図２に示すように、前記切り欠き部６及び切断段部７を内側にしてバネ板１をコイル状に巻くこともできる。この場合、図２（ａ）のコイル状に巻いた状態では、前記切り欠き部６及び切断段部７は内側に入って外側から見えないが、図（ｂ）に示すように、内側のバネ板１を横にずらせば、前記切り欠き部６及び切断段部７が露出する。
【００２３】
前記バネ板１は、図３に示すように、伸ばすと帯状のもので、その長さは、剥ぎ取る中間層の外周長より２〜３倍長いものとする。そして、当該バネ板１の長手方向に平行する両側縁の一方を一側縁５とし、かつ、当該バネ板１の長手方向の一端から一定長さに離れた位置までの一側縁５を当該一側縁５の側縁からバネ板１の内側に一定幅切り欠いた、長方形の切り欠き部６を設け、当該切り欠き部６の内端部と当該切り欠き部６脇の一側縁５との間に切断段部７を設けたものである。
【００２４】
従って、この工具Ａは自然状態では、図１又は図２に示すように、コイル状に丸まっており、弾性に抗して図３に示すように広げると、バネ板１の一側縁５に切り欠き部６及び切断段部７が設けられていることが分かる。
【００２５】
また、図４のバネ板１ａは高圧ケーブル用のケーブル被覆剥ぎ取り工具Ａに使用するものであり、前記一側縁５の一部を、断面を鋭角に尖らせた刃部８としたものである。また、図５に示すバネ板１ｂは、前記一側縁５の一部をのこぎり歯形状部９としたもので、中間層が厚いゴム状のものに使用するものである。
【００２６】
次に、当該工具Ａを用いてケーブルＣの中間層を剥ぎ取る方法について説明する。
【００２７】
まず、図６に示すように、銅テープ層ｅを剥ぎ取ろうとするケーブルＣの当該銅テープ層ｅの外周に工具Ａを被せる。以下の説明では図１に示す巻き方の工具Ａを使用した。その際、工具Ａの外側の一端部の前記切り欠き部６の側から工具Ａをその弾性に抗して剥がしていき、そのままケーブルＣの銅テープ層ｅの外周に、前記切り欠き部６を剥ぎ取る銅テープ層ｅの端部側に位置させて巻き付ける。すると、前記切り欠き部６は銅テープ層ｅの外周に圧接する。残りのバネ板１は、図７に示すように、コイル状に巻かれたままにしておく。
【００２８】
そして、銅テープ層ｅをその外端部からケーブルＣの周囲で回しながら剥がしていく。当該剥がしていく銅テープ層ｅが工具Ａ付近まで剥がれると、図８に示すように、工具Ａの切断段部７に銅テープ層ｅの一側を引っ掛けて、銅テープ層ｅを工具Ａ側に引っ張りながら折り返し、図９に示すように、銅テープ層ｅの一側に切り込み１０を入れる。
【００２９】
この銅テープ層ｅの切り込み１０が入いったのち、工具Ａのコイル状になったバネ板１を、バネの弾性に抗して剥がしながら既に銅テープ層ｅに巻いてあるバネ板１の上に巻き付ける。そして、図１０に示すように、工具Ａの一側縁５に銅テープ層ｅの一側を当てながら、かつ、工具Ａ側に銅テープ層ｅを引っ張りながら工具Ａの外周に沿って銅テープ層ｅを引き剥がしていく。
【００３０】
この銅テープ層ｅの引き剥がしは、工具Ａの外周端部が一側縁５となっており、また、銅テープ層ｅの外周に圧接されているため容易に剥がれる。これにより、図１１に示すように、銅テープ層ｅの端部は、工具Ａの一側縁５に沿って切断され、工具Ａを外すと、図１２に示すように、その切り口が一直線状に形成される。その後、この銅テープ層ｅの切断端部に仮止めテープ１１を巻いて、銅テープ層ｅが緩まないようにしておく。
【００３１】
以上はケーブルＣの銅テープ層ｅの剥ぎ取りについて説明したが、この工具Ａはこの銅テープ層ｅに限らず、薄膜状の中間層であれば容易に、かつ、きれいに剥ぎ取ることができる。
【００３２】
また、図４のバネ板１ａを使用した場合及び図５のバネ板１ｂを使用した場合も、上記と同様の手順で、ケーブルＣの中間層を容易、かつ、きれいに剥ぎ取ることができる。
【００３３】
また、工具Ａの銅テープ層ｅの外周への装着方法については、上述のように、バネ板１を一端部からその弾性に抗して剥がしながら、銅テープ層ｅの外周面にこれを掛けて巻くことにより装着することができる。また、銅テープ層ｅ又はケーブルＣの一端部からコイル状に巻かれた工具Ａのまま、その中心孔を挿入して所定の位置まで銅テープ層ｅ又はケーブルＣの長手方向に沿って工具Ａをずらしていくこともできる。これらは、その場の状況に応じて選択できる。
【００３４】
コイルバネ状のまま工具ＡをケーブルＣに装着した場合には、図１３に示すように、工具Ａの外周のバネ板１の外側をケーブルＣの長手方向に沿ってずらし、切り欠き部６及び切断段部７を露出又は突出させて中間層を剥がし、切り込み１０を入れた後、一側縁５を外側端部に戻して、当該一側縁５に沿って中間層を剥がしていくことができる。この場合、図１に示すように、切り欠き部６及び切断段部７を工具Ａの外側にしてバネ板１をコイル状に巻いても、また、図２に示すように、切り欠き部６及び切断段部７を工具Ａの内側にしてバネ板１をコイル状に巻いてもよい。
【符号の説明】
【００３５】
Ａ        ケーブルの被覆剥ぎ取り工具
Ｂ        従来のケーブルの被覆剥ぎ取り工具
Ｃ        ケーブル                        
ａ        導体                      ｂ      内部半導電層
ｃ        絶縁体                    ｄ      外部半導電層
ｅ        遮蔽軟銅テープ層          ｆ      ビニルシース
１        バネ板                    １ａ    バネ板
１ｂ      バネ板                    ２      刃部
３        切り欠き                  ５      一側縁
６        切り欠き部                ７      切断段部
８        刃部                      ９      ノコギリ歯形状部
１０      切り込み                  １１    仮止めテープ
【図１】
0003225901.tif 000003
【図２】
0003225901.tif 000004
【図３】
0003225901.tif 000005
【図４】
0003225901.tif 000006
【図５】
0003225901.tif 000007
【図６】
0003225901.tif 000008
【図７】
0003225901.tif 000009
【図８】
0003225901.tif 000010
【図９】
0003225901.tif 000011
【図１０】
0003225901.tif 000012
【図１１】
0003225901.tif 000013
【図１２】
0003225901.tif 000014
【図１３】
0003225901.tif 000015
【図１４】
0003225901.tif 000016
【図１５】
0003225901.tif 000017
【図１６】
0003225901.tif 000018